(57)【要約】      （修正有）【課題】スノーボード・バインディングが３つの自由度の側面において調整位置が維持され、調整が単純になるように改良する。【解決手段】スノーボード・バインディングは、開口１０を有する装着板と、スノーボードと装着板との間に配置される固定板を備える。ペグ５は、この固定板から突出し、開口１０を通って延長する。ベース・プレート１は、抑制板２が延長される開口２４を有し、ペグ５を経て中心開口によって固定板に結合される。装着板３の開口１０は、相互間に垂直延長される２つの移動方向（ｘ及びｙ）においてペグ５の寸法より大きい。その結果、固定板４及び抑制板２は装着板３に対して２つの移動方向に移動し得る。固定板４に対する装着板３及び／又は装着板３に対する抑制板２のポジティブ・フィット方式の結合が存在する。手段１５、１６は、２つの移動方向（ｘ及びｙ）が互いに分離されるように形成されるのが好ましい。【選択図】図１
2004313773.tif 000002
【特許請求の範囲】
【請求項１】
スノーボードの表面から間隔を置いて取り付けられ得、開口（１０）を有する装着板（３）と、
スノーボード（Ｓ）の表面と装着板（３）との間に配置される固定板（４）と、
開口（２４）を有するベース・プレート（１）と、
前記固定板から突出して装着板（３）の開口（１０）を貫通して延長するペグ（５）を受容するための中心開口（１１）を有し、ベース・プレートの開口（２４）を貫通して延長する抑制板（２）と、
固定板（４）及び抑制板（２）を装着板（３）に固定するためのクランプ（６）と
を備えるスノーボード・バインディングであって、
前記装着板（３）の前記開口（１０）は、前記固定板（５）、抑制板（２）及びベース・プレート（１）が互いに直交する２つの方向（ｘ及びｙ）に装着板（３）に対して移動し得るように、２つの方向（ｘ及びｙ）において前記ペグ（５）の寸法より相当に大きく、前記固定板（３）に対する装着板（４）及び／又は前記装着板（２）に対する抑制板（３）のポジティブ・フィット方式の結合（１５，  １６−１９；  ３４）が存在する、スノーボード・バインディング。
【請求項２】
前記装着板（３）の開口（１０）及び前記ペグ（５）の寸法は、２つの方向（ｘ及びｙ）への移動距離が少なくとも４ｃｍの寸法を有する、請求項１に記載のスノーボード・バインディング。
【請求項３】
前記ポジティブ・フィット方式の結合（１５，  １６−１９；  ３４）は、１つの方向（ｘ）への移動が他の方向（ｙ）への移動から分離されるように構成される、請求項１又は２に記載のスノーボード・バインディング。
【請求項４】
前記ポジティブ・フィット方式の結合は、１つの方向（ｙ）に延長される歯形部（１４，  １５）から成る、請求項３に記載のスノーボード・バインディング。
【請求項５】
前記ポジティブ・フィット方式の結合は、ピン（１６−１９）及び細長い凹部（２０−２３）から成り、前記細長い凹部は、１つの移動方向（ｙ）に延長される、請求項３又は４に記載のスノーボード・バインディング。
【請求項６】
前記歯形部（１４，  １５）の長手方向及び前記細長い凹部の長手方向（２０，  ２３）は、互いに直交する、請求項４及び５に記載のスノーボード・バインディング。
【請求項７】
前記ピン（１６−１９））の各々は、一群の細長い凹部（２１ａ，  ２１ｂ，  ２１ｃ）と関連し、各ピンは、前記一群の１つの凹部に嵌入され得る、請求項５又は６に記載のスノーボード・バインディング。
【請求項８】
前記装着板（３）は、いくつかのポスト（８）によってスノーボード（Ｓ）の表面から間隔を置いて保持され、前記固定板（３）は、隣接したポスト（８）の間で押され得るいくつかのアーム（３０−３３）を有し、前記ペグ（５）の寸法と各アーム（３０−３３）の長さとの和は、２つの移動方向（ｘ及びｙ）において開口の長さより大きい、請求項１から７のいずれかに記載のスノーボード・バインディング。
【請求項９】
アーム（３０−３３）の数は、ポスト（８）の数と対応する、請求項８に記載のスノーボード・バインディング。
【請求項１０】
前記装着板（３）と、前記固定板（４）または前記抑制板（２）との間には、ピラミッド形の歯を有する歯形部及び対応する凹部が存在し、前記歯は、２つの移動方向（ｘ及びｙ）に規則的に配置される、請求項１、８又は９に記載のスノーボード・バインディング。
【発明の詳細な説明】
【技術分野】
【０００１】
本発明は、請求項１の前段に記載されたスノーボード・バインディングに関する。
【背景技術】
【０００２】
このようなバインディングは、特許文献１から公知である。このバインディングは、装着部を備える。装着部は、スノーボードの表面にネジによって取り付けられ得る。装着部は、細長い穴の形で凹部を有する。ペグは、この細長い穴を貫いて突出し、固定板からある距離をおいて位置する。固定板は、装着部の下側及びスノーボードの上側の間に配置され、言及された細長い穴の方向に移動し得る。ベース・プレートは、装着部の上に置かれ得、かつ上記ペグが突設する凹部を有する。典型的な取付要素は、ベース・プレート上に靴を保持するためにベース・プレートに取り付けられる。ベース・プレートの上には、ネジが嵌入される中心凹部を有し、固定板の前述したペグのネジによってネジ止めされ得る抑制板がある。ネジが締められるときに、抑制板が固定板に対して引かれるので、ベース・プレートは、抑制板と装着板との間で固定される。ネジがゆるめられるときに、固定板、装着板及び抑制板からなる全ての装置が、装着板の細長い穴内において移動され得る。これによって、バインディングの位置が縦方向に整えることが許容される。ここで、ネジがツールなしに手で締められ得るとともにゆるめられ得るように、ネジは、駆動用ハンドルを備える。
【０００３】
特許文献２が類似したバインディングを開示するが、このバインディングにおいて、細長い穴を有する装着板は、スノーボードの本体に合体し、細長い溝を有する箱のようなプロフィールを有する。類似したバインディングが特許文献３にも開示される。このバインディングにおいては、ガイド・プロフィールも、スノーボードの本体に合体される。抑制板の代わりに、ベース・プレートの対応する穴によって係合するその位置にただ中心ネジのみが存在する。このようなバインディングは、特許文献４にも開示される。
【０００４】
前述したバインディングの全ての共通的な特徴は、バインディングの位置がスノーボードの縦方向に容易に及びツールなしに調整され得るということである。ここで、このような従来技術においては、バインディングの固定が摩擦の力によって常に実現される。これらのバインディングの一部、例えば特許文献２及び特許文献１に記載したバインディングは、スノーボード表面に垂直な回転軸に対してベース・プレートの回転位置の調整を可能にする。
【０００５】
特許文献５及び特許文献６は、ベース・プレートの回転位置のみがツールなしに変更され得るスノーボード・バインディングを開示する。特許文献５において、対応する歯に係合し、線形に移動し得る歯状のラックは、回転板に取り付けられる。ラックは、レバーによって移動される。レバーは、かみ合せを開閉し得る。特許文献６において、ベース・プレートは、固定ペグを備える回転板に取り付けられる。回転板の上に形成されている固定ペグは、スノーボードの表面に垂直に移動し得、対応するプレートの穴内に固定され得る。
【０００６】
最後に言及されたバインディングにおいては、スノーボードの表面に対する位置でなく、バインディングの回転位置のみが決められ得る。
【０００７】
これらのバインディングの全ては、バインディングがしばしば異なるユーザに合わなければならないスノーボードのレンタルの場合にこれらのバインディングが適切であるように、あらゆる調整を簡単に実現する基本的な目的を有する。このようなバインディングは、実験によって最適の位置を見つけたい人、及び傾斜上においてツールなしに異なるバインディングの位置又配置を急速に試したい人にも適切である。
【０００８】
一般に、スノーボード・バインディングに対する位置及び配置の調整は、「スノーボードの縦方向に」、「スノーボードの横方向に」、及び「スノーボードの表面に垂直な回転軸に対して」という３つの自由度を有しなければならない。
【０００９】
上記調整は、できる限り足の運びなしに又は非常に微妙な足の運びによって実現されなければならない。ここで、前述の従来技術のように、これは、調整が簡単に及びツールなしに実行され得る場合に望ましい。最後に、固定された位置は、スノーボードに乗る際に、バインディングとスノーボードとの間で発生する力のような大きい力のある場合にも確実に維持されなければならない。
【特許文献１】欧州特許出願公開第３５１２９８号明細書
【特許文献２】欧州特許第８４０６４０号明細書
【特許文献３】独国実用新案第２９５０１５１５号明細書
【特許文献４】仏国特許出願公開第２５７５６６０号明細書
【特許文献５】仏国特許出願公開第２６２７０９７号明細書
【特許文献６】国際公開第９８／０８４８０号パンフレット
【発明の開示】
【発明が解決しようとする課題】
【００１０】
従って、本発明の課題は、スノーボード・バインディングが３自由度において調整され得、調整された位置が確実に維持され、調整が単純であるように、はじめに言及されたスノーボード・バインディングを改良することである。
【課題を解決するための手段】
【００１１】
この課題は、請求項１において与えられる特徴によって解決される。本発明の有利な構成及び改良は、従属項から推定され得る。
【００１２】
本発明の基本的な原理は、スノーボード表面の平面におけるデカルト座標系の２つの軸に沿って調整をするのが可能になるほど十分に大きい凹部を有する装着部にある。ここで、位置の固定は、ポジティブ・フィットの歯形部によって実現される。
【００１３】
本発明の改良によれば、スノーボードの縦方向（ｘ方向）への運動の方向は、横方向（ｙ方向）から分離される。この目的のために、固定板の上側と装着板の下側との間には、直線の歯形部が存在し、装着板の上側と抑制板の下側との間には、同様に最初に言及された歯形部の運動の方向に垂直な１つの方向への運動のみを許可するポジティブ・フィットの接続が存在する。
【００１４】
本発明の他の例において、歯形部は、装着板の下側と固定板の上側との間でのみ提供される。歯は、ピラミッド形状を有し、対応する歯は、対応する凹部を有するのが好ましい。
【００１５】
平面図において、固定板は、４つの脚を有する十字形又は３つの脚を有する星の形状を有するのが好ましい。それによって、脚が装着板の取付用ポストの間に相変わらず至り得るので、装着板の与えられたサイズに対して、調整領域が増加され得る。
【００１６】
以下、本発明は、図面と関連して実施形態を参照として詳細に説明される。
【発明を実施するための最良の形態】
【００１７】
個々の図面において、同じ参照番号は、同じ又は機能的に同等のパーツに対応する。
【００１８】
先ず、図１を参照として説明が行われる。バインディングは、スノーボードＳの表面に固定される。スノーボードは、ベース・プレート１を備える。靴（図示せず）を固定するための典型的な保持要素がベース・プレート１に取り付けられる。これらの要素は、例えば、インステップ・ストラップ、足指プレート、ブーツ底のための保持クリップ、又は他の従来の保持装置であり得る。これらは、示されていないが、従来技術の広範囲の異なる実施形態及び市場において利用可能である。
【００１９】
本発明のバインディングは、装着板３、垂直な方向に延長するペグ５を有する固定要素４、ペグ５上において枢動し得るようにピボット軸７に取り付けられる固定レバー６を更に備える。
【００２０】
装着板３は、いくつかのポスト８によってスノーボードＳの表面に取り付けられる。各ポストは、穴９の形状を特徴とする。この取付は、通常示されていないネジによって実現される。ネジは、スノーボードＳのボデ内にいわゆる挿入物として合体されるナットに係合する。最近、市場に出ている大部分のスノーボードにおいて、これらのナットは、４ｃｍの辺長を有する正方形のパターンに配置され、穴９も、対応する方向に配列される。明らかに、他のパターンの挿入物によって、例えば、正三角形の状態にポスト及び穴を配列することも可能である。
【００２１】
装着板３は、平面図において矩形（図２を参照）又は円形（図３及び４）でありえる。ポスト８は、スノーボードＳの表面からある距離をおいて装着板を保持する。装着板３は、中心開口１０を有する。中心開口１０は、矩形であるのが好ましく、その寸法は、ｘ及びｙ方向（図２を参照）の調整範囲を決定する。スノーボードＳの表面と装着板３の表面との間には、固定要素４がある。該固定要素から、中心ペグ５がｚ方向に上方に垂直な方向に延長され、装着板３の開口１０を通り抜ける。このペグ５は、更に抑制板２の開口１１を通り抜ける。従って、抑制板２は、ペグ５によって固定要素４に結合される。ペグ５及び開口１１の横断面は、矩形又は正方形であるのが好ましい。その結果、固定要素４及び抑制板２は、回転の方向ｃにポジティブ・フィットの方式で結合する。
【００２２】
ペグ５は、横の穴１２を有する。横の穴１２を経て固定レバー６がピンとして形成されるピボット軸によって取り付けられ得る。このピン７は、対応する穴１２’によって固定レバー６上で支えられる。固定レバーは、ピン７の軸に対して偏心され、抑制板２の上側を圧迫する固定領域１３を有する。ピン７の軸についてピボット・レバー６を枢動することによって、抑制板２は、ｚ方向に固定要素４に対して移動する。それによって、抑制板２及び固定要素４は、装着板３の対応する表面に対して上下から押圧される。固定レバー６に対して偏心した固定領域１３の配置は、固定レバー６が下に押圧されるときに前述の結合が引き締められ、レバーが上がるときに前述の結合がゆるめられるように、選択される。
【００２３】
図１乃至３の実施形態において、歯形部１４，１５が固定要素４の上側と装着板３の下側との間に存在する。ここで、歯は、ｙ方向に延長される。このような方法で、歯形部１４及び１５が係合するときに、固定要素は、固定された装着板３に対してｙ方向に今もなお移動し得る。
【００２４】
装着板３の上側には、いくつかの突出ピン１６、１７、１８及び１９が存在する。これらのピンは、抑制板２の下側において適当な細長い凹部２０、２１、２２及び２３に各々係合する。これらの凹部２０乃至２３は、抑制板２の厚みを完全に貫通して延長されない止まり穴凹部のように形成される。これらの凹部２０乃至２３は、ピン１６乃至１９に対するガイドとして使われ、装着板３に対してｘ方向に抑制板２の移動を許容する。
【００２５】
従って、ｘ及びｙの両方向の運動のために、ポジティブ・フィット方式の結合が抑制板２、装着板３、固定要素４と関連して実現される。ここで、運動（ｘ及びｙ）の方向は、互いに分離される。
【００２６】
ここで、ピンが選択的にグループの凹部のうちの１つに嵌入され得るように
いくつかの凹部２０乃至２３が存在する。これにより、ｙ方向に更に向上された調整力が生じる。
【００２７】
図１から明白なように、ベース・プレート１は、円形の開口２４を備える。開口の端は、歯形部２５をもって形成される。抑制板２は、スノーボードＳの表面に垂直に延長し、開口２４に係合する肩部２６を備える。抑制板２は、更にベース・プレート１の歯形部２５に係合する対向の歯形部２７、及び対向の歯形部２７に接するベース・プレート１の上側を過ぎて延長される突設している他の端２８を備える。肩部２６の長さは、バインディングが固定される場合にも、肩部の端が相変わらずスノーボードＳの表面からある距離をおいて存在するように選ばれる。固定レバー６がリリースされた位置にある場合、抑制板２は、歯形部２５及び２７が相互間に結合されないように容易に上がり得る。その後、ベース・プレート１は、図２の矢ｃの方向にｚ軸について回転され得る。歯形部２５及び２７は、歯が歯形部１４，１５の歯又は凹部２０乃至２３と関連したピン１６乃至１９より短いように選択されるのが好ましい。歯形部１４及び１５間の係合及び凹部２０乃至２３とのポジティブ・フィット方式の結合１６乃至１９が存在する一方で、ピボット・レバー６の第１のリリースされた位置において、ベース・プレート１がｚ軸について回転し得るように抑制板２がベース・プレート１から十分に上昇し得ることである。よって、相変わらずｘ又はｙ方向への移動はない。従って、ベース・プレートの回転の設定は、ｘ及びｙ方向の他の２つの可能な設定から切り離される。
【００２８】
同様に、歯形部１４，１５は、歯の高さがピン１６乃至１９の高さより小さいように形成され得る。その結果、ピボット・レバー６のリリースされた他の位置において、歯１４、１５の縦方向に対して垂直な方向、即ち、ｘ方向への調整が可能であるが、ピン１６乃至１９は、凹部２０乃至２３に相変わらず係合している。
【００２９】
図１から、固定レバー６が少なくとも部分的に皿穴に埋められ得るように、抑制板２が固定レバー６の領域において凹部２９を備えることが分かる。この凹部２９は、図示される概念を単純化するために他の図から省略される。
【００３０】
図３において、固定要素４（図３（ａ）乃至（ｃ））、装着板３（図３（ｄ）乃至（ｆ））、及び抑制板２（図３（ｇ）乃至（ｉ））は、３つの図面、即ち、底面図、断面図、平面図によって各々示される。図３（ａ）及び（ｃ）から、例示の実施形態の固定要素４が４つのアーム３０、３１、３２及び３３を備えることが分かった。これらのアームは、互いに直角に位置し、その上側に歯形部１４を担持する。アーム３０乃至３３の長さは、装着板３の開口１０のサイズに合わせて調整される。その結果、ペグ５が開口１０の壁と接触する全ての可能な限定された位置において、アームが装着板によって常にカバーされ、よって保持されるように、全ての４つのアーム３０乃至３３は、装着板の開口１０を越えて更に突出する。
【００３１】
図３（ｃ）から明白なように、歯形部１４は、一定の方向にアーム３０乃至３３の一面において延長される。例示の実施形態において、歯形部１４は、アーム３０及び３２の縦方向に平行に、及びアーム３１及び３３の縦方向に垂直に延長される。
【００３２】
図３（ｆ）において、固定要素４は、限定された位置において点線によって示される。これにより、アームが隣接した台８の間に至ることが分かった。その結果、固定要素４に対してできる限り大きい移動経路が得られる。
【００３３】
４つの台８を有する図３に示される構成において、固定要素４は、４つのアームを備える。台の他の構成においては、アームの数は、それに応じて適応され得る。例えば、３つの台が正三角形の頂点にある場合、固定素子４は、相互間に１２０°の角度に延長される３つのアームのみを備える。明らかに、このような構成において、歯形部１４は、アームの一面に一定の方向に分配されることもある。
【００３４】
図３（ｆ）の平面図から、装着板３の上側から延長されるピン１６乃至１９が台８に対して４５°だけオフセットされることが分かった。図３（ｄ）及び（ｆ）から、図２の実施形態とは対照的に、装着板３が平面図において円形でありえることが更に分かった。ここで、装着板３は、正方形である。１つの方向（ｘ又はｙ）への移動経路を他の方向への移動経路より大きく作ることが望ましい場合は、装着板３及び開口１０が矩形でありえる。ここで、側面の長さは、他の方向においてより一方向において大きい。
【００３５】
図３（ｇ）から明白なように、抑制板２は、その下側上に３つの細長い凹部を各々有する４つのグループの全てを備える。３つの細長い凹部は、互いに平行である。凹部２１は、３つの参照番号２１ａ、２１ｂ及び２１ｃによって明らかになる。
【００３６】
例示の実施形態において、ピン１７は、これらの３つの凹部のうちの１つに係合する。ここで、残りのピン１６、１８及び１９は、対応する凹部２０、２２及び２３に係合する。明らかに、装着板３の外径は、抑制板２の突出する肩部２６の内径より小さい。その結果、装着板３は、全ての可能な位置においてこの肩部２６内に常に位置する。
【００３７】
この時点で、装着板３の上側と抑制板２の下側との間にポジティブ・フィット方式の結合が存在するとき、ピン１６乃至１９及び関連した凹部２０乃至２３を備える構成がただ１つの可能な実施形態であることがまた言及されなければならない。ここで、例えば、歯形部１４、１５に類似している歯形部を提供することも可能である。
【００３８】
図４は、図２と同様であるが、ベース・プレートのないスノーボード・バインディングの基本的な部分の分解図を示す。図４の実施形態は、歯形部のタイプによって図２の実施形態と異なる。ここでは、固定板４の上側に規則的なピラミッド形の歯を有する歯形部１４’が存在する。歯は、一定の間隔をもってｘ及びｙ方向に配置される。対応する凹部が、歯形部１４’の歯と係合する装着板３の下側に提供される。
【００３９】
対応する方法において、ピラミッド形の歯を有する歯形部３４は、装着板３の上側に形成される。これらの歯は、同様にｘ及びｙ方向に規則的に間隔を置いて配置される。抑制板２の下側は、同様に歯３４に対応するピラミッド形の凹部を有する。
【００４０】
抑制板２及び固定板４がペグ５及び開口１１によってｘ及びｙ方向に堅く結合されるので、２つの歯形部１４又は３４のうちの１つが省略し得ることは明らかである。従って、好ましい実施形態においては、固定板４上の歯形部１４’が省略される。その結果、そのアームは、滑らかで平坦な表面を有し、装着板３の下側は、同様に滑らかで平坦である。一方、図４の実施形態は、図２の実施形態に対応する。
【図面の簡単な説明】
【００４１】
【図１】本発明の第１実施形態によるスノーボード・バインディングの断面図である。
【図２】図１のスノーボード・バインディングの詳細な分解図である。
【図３】図１のスノーボード・バインディングの詳細な平面図、断面図、及び底面図であり、（ａ）、（ｂ）及び（ｃ）は、固定要素の底面図、断面図、及び平面図であり、（ｄ）、（ｅ）及び（ｆ）は、装着板の底面図、断面図、及び平面図であり、（ｇ）、（ｈ）及び（ｉ）は、抑制板の底面図、断面図、及び平面図である。
【図４】本発明の第２実施形態の図２と同様の分解図である。
【符号の説明】
【００４２】
１：ベース・プレート
２：抑制板
３：装着板
４：固定要素
５：ペグ
６：固定レバー
７：ピン
８：ポスト
１０：中心開口
１２：穴
１４，１５：歯形部
１６、１７、１８、１９：突出ピン
２０、２１、２２、２３：細長い凹部
２６：肩部
【図１】
2004313773.tif 000003
【図２】
2004313773.tif 000004
【図３】
2004313773.tif 000005
【図４】
2004313773.tif 000006
【外国語明細書】
2004313773.tif 000007
2004313773.tif 000008
2004313773.tif 000009
2004313773.tif 000010
2004313773.tif 000011
2004313773.tif 000012
2004313773.tif 000013
2004313773.tif 000014
2004313773.tif 000015
2004313773.tif 000016
2004313773.tif 000017
2004313773.tif 000018
2004313773.tif 000019
2004313773.tif 000020
2004313773.tif 000021
2004313773.tif 000022
2004313773.tif 000023
2004313773.tif 000024
2004313773.tif 000025